(57)【要約】【課題】つまみのスライド操作とキートップの押圧操作とをそれぞれ独立して確実に行うことができ、その際キートップを確実に所定の位置のみでオンオフ操作できる押圧スイッチ付き摺動式電子部品を提供する。【解決手段】ケース８０と、ケース８０の上面側に設置されるつまみ１０と、つまみ１０に上下動自在に設置されつまみ１０とともに移動するキートップ３０と、ケース８０の下面側に設置されつまみ１０と一体に移動する摺動型物１１０と、ケース８０の下面側に設置され摺動型物１１０の移動によって電気的出力を変化する電気的機能部（摺動子１３０等）と、ケース８０の下面側に設置されキートップ３０の押圧部３５によって押圧されるスイッチ２１０とを有する。押圧部３５がつまみ１０の移動によってスイッチ２１０を押圧する以外の位置に位置する際にキートップ３０の押圧を阻止する押圧規制機構１９０を有する。【選択図】図３
2006331698.tif 000002
【特許請求の範囲】
【請求項１】
取付部材と、取付部材の上面側に取付部材に沿って移動自在に設置されるつまみと、前記つまみに上下動自在に設置され且つつまみとともに移動するキートップと、取付部材の下面側に設置され前記つまみと一体に移動する摺動型物と、取付部材の下面側に設置され前記摺動型物の移動によって電気的出力を変化させる電気的機能部と、取付部材の下面側に設置され前記キートップの下部に設けた押圧部によって押圧されるスイッチと、を有し、
前記キートップの押圧部が前記つまみの移動によって前記スイッチを押圧する以外の位置に位置する際にキートップの押圧を阻止する押圧規制機構を有してなることを特徴とする押圧スイッチ付き摺動式電子部品。
【請求項２】
前記押圧規制機構は、前記スイッチとキートップの押圧部の間に設置される押圧規制部材を具備して構成され、
この押圧規制部材には、前記キートップの押圧部がスイッチを押圧する位置においてこの押圧部を挿通する押圧部挿通部が設けられていることを特徴とする請求項１に記載の押圧スイッチ付き摺動式電子部品。
【請求項３】
前記押圧規制機構はさらに、前記押圧規制部材と前記スイッチの間に上下動自在に設置されるスイッチ押圧部材を具備し、
このスイッチ押圧部材の上面には前記押圧規制部材に設けた押圧部挿通部において前記キートップの押圧部に当接する当接部が設けられ、且つスイッチ押圧部材の下面には前記スイッチを押圧するスイッチ押圧部が設けられていることを特徴とする請求項２に記載の押圧スイッチ付き摺動式電子部品。
【発明の詳細な説明】
【技術分野】
【０００１】
本発明は、押圧スイッチ付き摺動式電子部品に関するものである。
【背景技術】
【０００２】
従来、つまみをスライド移動することによってその電気的出力を変化するスライド式電子部品がある。そして近年、各種操作を一つのつまみで行うようにするため、この種のつまみに押釦スイッチ用のキートップを上下動自在に取り付け、つまみをスライド移動することで所定の電気的出力を得るとともに、つまみが所定のキートップ押圧位置（例えばつまみの中立位置）に位置したときに前記キートップによって押圧用のスイッチをオンオフできる構成、即ちスライド式電子部品のつまみに押圧スイッチを一体に取り付けた押圧スイッチ付摺動式電子部品が望まれていた。
【０００３】
しかしながらこの種の構成、即ちつまみのスライド操作とキートップの押圧操作とをそれぞれ独立して行う構成を有する押圧スイッチ付き摺動式電子部品において、その構成が簡単で、且つキートップを確実に所定の位置のみでオンオフ操作できる構造のものはなかった。
【発明の開示】
【発明が解決しようとする課題】
【０００４】
本発明は上述の点に鑑みてなされたものでありその目的は、つまみのスライド操作とキートップの押圧操作とをそれぞれ独立して確実に行うことができ、その際前記キートップを確実に所定の位置のみでオンオフ操作でき、さらに構造の簡単な押圧スイッチ付き摺動式電子部品を提供することにある。
【課題を解決するための手段】
【０００５】
本願請求項１に記載の発明は、取付部材と、取付部材の上面側に取付部材に沿って移動自在に設置されるつまみと、前記つまみに上下動自在に設置され且つつまみとともに移動するキートップと、取付部材の下面側に設置され前記つまみと一体に移動する摺動型物と、取付部材の下面側に設置され前記摺動型物の移動によって電気的出力を変化させる電気的機能部と、取付部材の下面側に設置され前記キートップの下部に設けた押圧部によって押圧されるスイッチと、を有し、前記キートップの押圧部が前記つまみの移動によって前記スイッチを押圧する以外の位置に位置する際にキートップの押圧を阻止する押圧規制機構を有してなることを特徴とする押圧スイッチ付き摺動式電子部品にある。
【０００６】
本願請求項２に記載の発明は、前記押圧規制機構は、前記スイッチとキートップの押圧部の間に設置される押圧規制部材を具備して構成され、この押圧規制部材には、前記キートップの押圧部がスイッチを押圧する位置においてこの押圧部を挿通する押圧部挿通部が設けられていることを特徴とする請求項１に記載の押圧スイッチ付き摺動式電子部品にある。
【０００７】
本願請求項３に記載の発明は、前記押圧規制機構はさらに、前記押圧規制部材と前記スイッチの間に上下動自在に設置されるスイッチ押圧部材を具備し、このスイッチ押圧部材の上面には前記押圧規制部材に設けた押圧部挿通部において前記キートップの押圧部に当接する当接部が設けられ、且つスイッチ押圧部材の下面には前記スイッチを押圧するスイッチ押圧部が設けられていることを特徴とする請求項２に記載の押圧スイッチ付き摺動式電子部品にある。
【発明の効果】
【０００８】
請求項１に記載の発明によれば、摺動式電子部品の操作を行うつまみに、押圧スイッチの操作を行うキートップを取り付けてその機能を集約化しても、つまみの摺動操作とキートップの押圧操作とをそれぞれ独立して確実に行うことができ、しかも押圧規制機構によってキートップを確実に所定の位置のみでオンオフ操作できる。
【０００９】
請求項２に記載の発明によれば、簡単な構造の押圧規制機構によってキートップを確実に所定の位置のみでオンオフ操作することができるようになる。
【００１０】
請求項３に記載の発明によれば、押圧規制部材とスイッチの間で上下動するスイッチ押圧部材の当接部にキートップの押圧部を当接して押圧することでスイッチを押圧するように構成したので、スイッチの押圧を確実に行うことができる。
【発明を実施するための最良の形態】
【００１１】
以下、本発明の実施形態を図面に基づいて詳細に説明する。
〔第１実施形態〕
図１及び図２は本発明の第１実施形態にかかる押圧スイッチ付摺動式電子部品（具体的に言えば押圧スイッチ付スライド式電子部品）１−１を示す分解斜視図であり、図１はその上側部分を示し、図２はその下側部分を示している。また図３は組み立てた押圧スイッチ付摺動式電子部品１−１の要部概略断面図である。図１〜図３に示すように押圧スイッチ付摺動式電子部品１−１は、取付部材（以下この実施形態では「ケース」という）８０の上面側につまみ１０とキートップ３０と押圧用弾発手段５０と保持部材６０とを一体化したものを設置し、一方ケース８０の下面側に弾発手段１００と摺動子１３０を取り付けた摺動型物１１０とフレキシブル回路基板１４０と押圧規制板１６０とスイッチ押圧部材１８０とスイッチ２１０とを設置して構成されている。この実施形態ではフレキシブル回路基板１４０と押圧規制板１６０とから押圧規制部材１７０を構成している。さらにこの押圧規制部材１７０とスイッチ押圧部材１８０によって押圧規制機構１９０を構成している。また少なくともキートップ３０とスイッチ２１０とによって押圧スイッチが構成されている。以下各構成部品について説明する。
【００１２】
つまみ１０は合成樹脂をその外形が略矩形状になるように成形して構成されており、その中央には上方向に突出する凸部１１が設けられ、凸部１１の中央には開口穴からなるキートップ挿入部１３が設けられ、またキートップ挿入部１３の下側には図３に示すようにキートップ挿入部１３より更に大なる開口穴からなる収納部１５が形成され、さらに収納部１５の下側には収納部１５より大なる開口穴からなる保持部材収納部１７が形成されている。ここでキートップ挿入部１３は略矩形状の貫通孔であり、下記するキートップ３０の本体部３１を上下動自在に挿入する寸法形状に形成されている。収納部１５は下記するキートップ３０のつば部３３を上下動自在に収納する内面形状（つば部３３の外形形状に合わせて略矩形形状）に形成されている。この収納部１５には下記する押圧用弾発手段５０も収納される。保持部材収納部１７は下記する保持部材６０を収納する内面形状（保持部材６０の外形形状に合わせて略矩形状）に形成されている。またつまみ１０の下面（保持部材収納部１７の底面）からは二本の取付部１９が突出して設けられている。
【００１３】
キートップ３０は合成樹脂の成形品であり、その上部に設けた略直方体形状の本体部３１の下部外周から薄板状のつば部３３を突出して設け、本体部３１の下面から１本の略棒状の押圧部３５を下方向に突出するように設けて構成されている。また図３に示すように本体部３１の下面中央には下記する押圧用弾発手段５０を収納する凹状の弾発手段収納部３７が設けられ、その中央に前記押圧部３５が突出している。押圧部３５は押圧用弾発手段５０を保持する機能も有する。
【００１４】
押圧用弾発手段５０はコイルスプリング（いわゆる圧縮コイルスプリング）であり、前記押圧部３５を挿入するように、その内径寸法を形成している。保持部材６０は成形樹脂を略矩形の薄板状に成形して構成されている。保持部材６０は前記つまみ１０の下面に設けた保持部材収納部１７内にその全体が挿入される形状寸法に形成されている。そしてその上面中央に前記キートップ３０のつば部３３を挿入する寸法形状の略矩形凹状のつば部収納部６１を設け、つば部収納部６１の内底面に前記押圧部３５を上下動自在に貫通する寸法形状の貫通孔からなる押圧部ガイド部６３を設け、前記つまみ１０に設けた二本の取付部１９をそれぞれ挿入する位置に貫通孔からなる取付固定部６５を設け、またその下面の中央付近から下方向に突出する一対の小突起状の係止部６７（図１ではその一方のみ示す）を設けて構成されている。
【００１５】
ケース８０は合成樹脂を略平板状に成形して構成されており、その所定位置に略矩形状の開口部８１を設け、またその下面の開口部８１を囲む位置に摺動型物１１０の移動（直線方向に沿うスライド方向Ａへのスライド移動）をガイドする枠状の摺動型物ガイド部８３を設け、さらに摺動型物ガイド部８３のスライド方向Ａに平行な両側辺の内の一方の側辺の中央に設けた切欠き部８５の両端近傍に小突起状の一対の係合部８７，８７を設けて構成されている。
【００１６】
弾発手段１００は弾性金属棒をリング状に略２回巻き回したリング部１０１の両端部を半径方向外方に向けて突出することで係止部１０３，１０３として構成されている。そして両係止部１０３，１０３を接近又は離間することで、リング部１０１をねじり、これによって係止部１０３，１０３間に元の位置に向かう弾発力を生じるものである。即ちこの弾発手段１００はねじりコイルバネである。
【００１７】
摺動型物１１０は合成樹脂を略矩形状に成形して構成されており、その上面には前記弾発手段１００のリング部１０１を収納する凹状の弾発手段収納部１１１を設け、またその下面には下記する摺動子１３０の取付部１３７を挿入する小突起状の取付固定部（図示せず）を設けている。弾発手段収納部１１１はその外周が略矩形状であり、中央に上方向に突出する円柱状の突起部１１３を設けることによってリング状に形成している。弾発手段収納部１１１の前記弾発手段１００の係止部１０３，１０３に対向する位置には、切欠きを形成することで係止部挿通部１１５を設け、係止部挿通部１１５の対向する両側面を当接面１１６，１１６としている。当接面１１６，１１６の上部の対向位置にはそれぞれ内側に向かって突出する爪状の抜け防止部１１７，１１７が設けられている。突起部１１３の中央にはスライド方向Ａに垂直な方向に向かって直線状に溝部１１９が設けられ、溝部１１９の底面には前記保持部材６０の一対の係止部６７をそれぞれ貫通する小孔からなる取付部１２１，１２１が設けられている。さらに溝部１１９の底面の中央には前記キートップ３０の押圧部３５を上下動自在にガイドしながら貫通する挿通ガイド部１２３が設けられている。電気的機能部の構成部品となる摺動子１３０は弾性金属板からなり、平板状の基部１３１の外周辺から突出する一対の摺動冊子１３３，１３３を基部１３１の下面側に折り曲げその先端近傍を摺動接点１３５，１３５（手前側のみ示す）として構成されている。基部１３１には小孔からなる取付部１３７が設けられている。
【００１８】
フレキシブル回路基板１４０は可撓性を有する絶縁性合成樹脂フイルムからなる基板１４１の表面の前記摺動子１３０が摺接する位置に電気的機能部の構成部品となる導電パターン（以下この実施形態では「スイッチパターン」という）１４３を形成し、またスイッチパターン１４３の側部であって前記ケース８０の開口部８１に対向するその中央位置に開口部８１よりも小さい寸法の矩形状の押圧部挿通部１４５を設け、さらに押圧部挿通部１４５を囲む位置に４つの小孔からなる固定部１４７を設けて構成されている。押圧部挿通部１４５は前記キートップ３０の押圧部３５を挿入できる大きさに形成されている。また固定部１４７は下記するスイッチ体２００の各固定部２０３に対向する位置に設けられている。
【００１９】
押圧規制板１６０は硬質板（この実施形態では金属板を用いているが硬質の樹脂板等、他の材質でも良い）１６１の前記押圧部挿通部１４５に対向する位置にこの押圧部挿通部１４５と同一寸法形状の貫通する開口からなる矩形状の押圧部挿通部１６３を設け、また押圧部挿通部１６３の周囲の前記フレキシブル回路基板１４０の各固定部１４７に対向する位置に固定部１４７と同一寸法形状の４つの小孔からなる固定部１６５を設けて構成されている。この押圧規制板１６０は、前記フレキシブル回路基板１４０を載置して支持することで、フレキシブル回路基板１４０と共に押圧規制部材１７０を構成する。
【００２０】
スイッチ体２００は、箱型であってその上面が開放されたケース２０１内に２段スイッチ２１０を収納して構成されている。ケース２０１の上端辺の四隅近傍には上方向に突出する４つの小突起状の固定部２０３が設けられている。ケース２０１内に収納されている２段スイッチ２１０の上面には反転板２１１が設置されている。反転板２１１は弾性板（この実施形態では弾性金属板）をドーム形状に形成して構成されている。そして２段スイッチ２１０はその内部構造は図示していないが、反転板２１１を押圧すると反転板２１１が反転してクリック感覚を生じると同時にその下側に設置した１段目のスイッチがオンし、さらに反転板２１１を押圧すると反転板２１１全体が下降することで下側に設置した２段目のスイッチがクリック感覚を生じながらオンする構造に構成されている。一方前記押圧を解除していけば、２段目のスイッチ、１段目のスイッチの順でスイッチがオフしていく。なお２段スイッチ２１０はこの２段スイッチ２１０の構成に限定されず種々の変形可能であり、例えば下側のスイッチが先にオンした後に上側のスイッチがオンする構造でも良く、また反転板２１１などを省略してクリック感覚のないスイッチとしても良い。また本発明は必ずしも２段スイッチ２１０とする必要はなく、１段のスイッチ、又は３段以上のスイッチとしても良い。
【００２１】
スイッチ押圧部材１８０は合成樹脂を略矩形の平板状に成形して構成されており、その上面中央には前記押圧規制板１６０の押圧部挿通部１６３とフレキシブル回路基板１４０の押圧部挿通部１４５とに挿入される矩形状に突出する挿入部１８１が設けられ、その上面が当接部１８３となっている。挿入部１８１の高さ、即ち当接部１８３の面のその周囲の面からの高さは、フレキシブル回路基板１４０と押圧規制板１６０とによって構成される押圧規制部材１７０の厚み寸法と略同一寸法に形成されている。スイッチ押圧部材１８０の外形はスイッチ体２００のケース２０１の内周面に上下動自在にガイドされる寸法形状に形成されている。またスイッチ押圧部材１８０の下面中央、即ち当接部１８３の真下位置には下方向に突出する円柱状のスイッチ押圧部１８５が設けられている。
【００２２】
次に押圧スイッチ付摺動式電子部品１−１を組み立てるには、まず予めつまみ１０の下面側からそのキートップ挿入部１３と収納部１５内にそれぞれキートップ３０の本体部３１とつば部３３とを挿入する。次にキートップ３０の弾発手段収納部３７内に押圧用弾発手段５０を挿入し、さらにつまみ１０の下面に保持部材６０を配置し、その際キートップ３０の押圧部３５を保持部材６０の押圧部ガイド部６３に挿入し、同時につまみ１０の各取付部１９を保持部材６０の各取付固定部６５に挿入し、保持部材６０の下面側に突出する各取付部１９の先端を熱カシメによって固定する。これによってつまみ１０とキートップ３０と押圧用弾発手段５０と保持部材６０とは一体化され、同時にキートップ３０は押圧用弾発手段５０によってその本体部３１がつまみ１０の上部側に向けて弾発される。一方摺動型物１１０の下面に摺動子１３０を配置し、その際摺動型物１１０の下面に設けた図示しない取付固定部を摺動子１３０の取付部１３７に挿入してその先端を熱カシメして固定する。また摺動型物１１０の上面の弾発手段収納部１１１内に弾発手段１００のリング部１０１を収納し、その際両係止部１０３，１０３は係止部挿通部１１５を通して摺動型物１１０の外部に突出され、両係止部１０３，１０３は両当接面１１６，１１６に弾接する。なお両係止部１０３，１０３は抜け防止部１１７，１１７によって係止部挿通部１１５から外れることはない。さらにフレキシブル回路基板１４０と押圧規制板１６０とを重ね合わせてその下側にスイッチ押圧部材１８０を収納したスイッチ体２００を設置し、その際スイッチ体２００に設けた各固定部２０３を押圧規制板１６０に設けた各固定部１６５とフレキシブル回路基板１４０に設けた各固定部１４７に挿入し、各固定部２０３の先端をフレキシブル回路基板１４０の上面で熱カシメによって固定してこれら各部材を一体化しておく。
【００２３】
そして保持部材６０等を取り付けたつまみ１０をケース８０の開口部８１上に設置し、一方ケース８０の下面側に弾発手段１００等を取り付けた摺動型物１１０を設置する。このとき保持部材６０の下面から突出する一対の係止部６７をケース８０の開口部８１に挿通してさらに摺動型物１１０の一対の取付部１２１に挿入してその下面側で係止部６７先端を熱カシメする。これによってつまみ１０と摺動型物１１０間は一体化されるが、このとき摺動型物１１０はケース８０下面の摺動型物ガイド部８３内に収納されているので、これら一体化された各部材は摺動型物１１０が摺動型物ガイド部８３内をガイドされながら移動する方向、即ちスライド方向Ａのみに移動可能となる。そして次に摺動型物１１０の下面側にスイッチ体２００等を固定したフレキシブル回路基板１４０を設置し、図示しない位置でフレキシブル回路基板１４０及び押圧規制板１６０をケース８０に取り付け、ケース８０とフレキシブル回路基板１４０間に所定の離間距離を保って位置するようにする。これによって押圧スイッチ付摺動式電子部品１−１の組み立てが完了する。
【００２４】
以上のようにして組み立てられた押圧スイッチ付摺動式電子部品１−１は、摺動子１３０の摺動接点１３５がスイッチパターン１４３に当接し、これら摺動子１３０とスイッチパターン１４３とによって電気的機能部を構成している。また弾発手段１００の両係止部１０３，１０３は、前述のように摺動型物１１０の両当接面１１６，１１６に弾接しているが、同時にケース８０下面の切欠き部８５を貫通して両係合部８７，８７の内側部分に当接している。つまり弾発手段１００の両係止部１０３，１０３が摺動型物１１０の両当接面１１６，１１６とケース８０の両係合部８７，８７とに同時に当接している状態が、つまみ１０等が中立位置にある状態である。またこの中立位置において、キートップ３０の押圧部３５の先端はスイッチ押圧部材１８０の当接部１８３の中央に接近して位置している。なお当接部１８３の面は、押圧規制部材１７０の表面、即ちフレキシブル回路基板１４０の表面と略同一面に位置している。
【００２５】
即ちこの押圧スイッチ付摺動式電子部品１−１には、ケース８０と、ケース８０の上面側にケース８０に沿って移動自在に設置されるつまみ１０と、つまみ１０に上下動自在に設置され且つつまみ１０とともに移動するキートップ３０と、ケース８０の下面側に設置されつまみ１０と一体に移動する摺動型物１１０と、ケース８０の下面側に設置され摺動型物１１０の移動によって電気的出力を変化する電気的機能部（摺動子１３０及びスイッチパターン１４３からなる）と、ケース８０の下面側に設置されキートップ３０の下部に設けた押圧部３５によって押圧されるスイッチ２１０と、を有し、さらにキートップ３０の押圧部３５がつまみ１０の移動によってスイッチ２１０を押圧する以外の位置に位置する際にキートップ３０の押圧を阻止する押圧規制機構１９０を有している構成が開示されている。またこの押圧スイッチ付摺動式電子部品１−１には、前記押圧規制機構１９０が、スイッチ２１０とキートップ３０の押圧部３５の間に設置される押圧規制部材（フレキシブル回路基板１４０及び押圧規制板１６０からなる）１７０を具備して構成され、この押圧規制部材１７０に、キートップ３０の押圧部３５がスイッチ２１０を押圧する位置においてこの押圧部３５を挿通する押圧部挿通部１４５，１６３が設けられている構成が開示されている。またこの押圧スイッチ付摺動式電子部品１−１には、押圧規制機構１９０がさらに、押圧規制部材１７０とスイッチ２１０の間に上下動自在に設置されるスイッチ押圧部材１８０を具備し、このスイッチ押圧部材１８０の上面に押圧規制部材１７０に設けた押圧部挿通部１４５，１６３においてキートップ３０の押圧部３５に当接する当接部１８３を設け、且つスイッチ押圧部材１８０の下面にスイッチ２１０を押圧するスイッチ押圧部１８５を設けている構成が開示されている。
【００２６】
そして前記つまみ１０の中立位置において、キートップ３０の本体部３１を押圧すると、その押圧部３５が当接部１８３を押圧することでスイッチ押圧部材１８０が下降し、スイッチ押圧部材１８０のスイッチ押圧部１８５がその真下に位置する２段スイッチ２１０を押圧してその２段スイッチをオンオフ操作する。ここでキートップ３０を押し込んだ状態のままつまみ１０をスライド移動しようとしても、押圧部３５がフレキシブル回路基板１４０と押圧規制板１６０のそれぞれの押圧部挿通部１４５，１６３内に挿入された状態なので、つまみ１０のスライド移動はできない。
【００２７】
一方前記キートップ３０の押圧を解除した状態でつまみ１０をその中立位置からスライド方向Ａの一方の方向に指等によって移動すると、図４に示すように摺動型物１１０がつまみ１０とともに移動し、摺動子１３０の摺動接点１３５がスイッチパターン１４３（図２参照）上を摺動し、その電気的出力を変化する。なおつまみ１０の移動の際、前述のように当接部１８３の面とフレキシブル回路基板１４０の表面とは略同一面に位置しているので、キートップ３０の押圧部３５の下面がフレキシブル回路基板１４０に設けた押圧部挿通部１４５の周囲の部分に引っ掛かることを確実に防止でき、そのスムーズな移動が確実に行える。
【００２８】
なおつまみ１０を中立位置から移動した場合、キートップ３０の押圧部３５は押圧部挿通部１４５，１６３内から外れた位置に位置し、つまり押圧部３５の下面がフレキシブル回路基板１４０の表面上に位置するので、キートップ３０を押圧することはできず、２段スイッチ２１０を操作することはできない。言い換えれば押圧部挿通部１４５，１６３は、キートップ３０の押圧部３５がスイッチ２１０を押圧する位置からずれた状態では挿入されない寸法形状に形成されている。このとき弾発手段１００の一方の係止部１０３（図１参照）はこの係止部１０３が当接している摺動型物１１０の一方の当接面１１６によって押圧されるのでリング部１０１の内径が小さくなる方向に絞られ（このときこの係止部１０３はこれが当接していたケース８０の係合部８７から離れている）、その弾性復帰力によって中立位置への自動復帰力が働き、つまみ１０のスライド方向Ａへの力を解除すると、つまみ１０は元の中立位置に自動復帰し、その電気的出力も中立位置における電気的出力に戻る。
【００２９】
以上のようにこの押圧スイッチ付摺動式電子部品１−１によれば、摺動式電子部品の操作を行うつまみ１０に、押圧スイッチの操作を行うキートップ３０を上下動自在に取り付けたので、つまみ１０の摺動操作と、キートップ３０の押圧操作とを集中して行うことが可能となる。しかもつまみ１０が所定のキートップ押圧位置（この実施形態では中立位置）に位置したときのみにキートップ３０による押圧操作を可能にしたので、スイッチ本体２００の誤操作を確実に防止できる。
【００３０】
なおこの実施形態において、リング部１０１を有する弾発手段１００を用いたのは以下の理由による。即ち本発明においては、つまみ１０の下面から突出するキートップ３０の押圧部３５が摺動型物１１０を貫通してその下側まで突出する構成となっている。そこでリング部１０１を有する構造の弾発手段１００を用い、リング部１０１を摺動型物１１０の上面に設置して弾発手段１００を摺動型物１１０の外部にほとんど張り出させず、同時に前記押圧部３５をリング部１０１内部に貫通させ、これによって弾発手段１００によって押圧スイッチ付摺動式電子部品１−１が大型化するのを効率的に防止するためである。またこの弾発手段１００は摺動型物１１０の中央に設置できるので、摺動型物１１０の移動時のバランスを良くすることもできるからである。但しもちろん他の構造の弾発手段１００を用いても良く、要は摺動型物１１０を所定の位置に自動復帰させるように弾発する弾発手段（例えば通常の圧縮コイルスプリングや引っ張りコイルスプリングや板バネ等）であればどのような構成の弾発手段であっても良い。
【００３１】
〔第２実施形態〕
図５は本発明の第２実施形態にかかる押圧スイッチ付摺動式電子部品（具体的に言えば押圧スイッチ付回転式電子部品）１−２の斜視図、図６はその要部概略断面図（図５のＢ−Ｂ線上概略断面図）である。同図に示す押圧スイッチ付摺動式電子部品１−２において、前記押圧スイッチ付摺動式電子部品１−１と同一又は相当部分には同一符号を付す。なお以下で説明する事項以外の事項については、前記押圧スイッチ付摺動式電子部品１−１と同じである。図５に示すようにこの押圧スイッチ付摺動式電子部品１−２は、取付部材（以下この実施形態では「ケース」という）８０の上面側につまみ１０とキートップ３０と押圧用弾発手段５０と保持部材６０とを一体化したものを設置し、一方ケース８０の下面側に摺動子１３０を取り付けた摺動型物１１０とフレキシブル回路基板１４０と押圧規制板１６０とスイッチ押圧部材１８０とスイッチ体２００とを設置して構成されている。この実施形態でもフレキシブル回路基板１４０と押圧規制板１６０とによって押圧規制部材１７０を構成し、さらにこの押圧規制部材１７０とスイッチ押圧部材１８０とによって押圧規制機構１９０を構成している。
【００３２】
この実施形態において前記実施形態と相違する点は、つまみ１０として成形樹脂を略円板状に成形してなる回転式のつまみを用いた点と、これに合わせて図示はしないがフレキシブル回路基板１４０上に形成する導電パターン（以下この実施形態では「スイッチパターン」という）を円弧状に形成した点と、弾発手段１００を省略した点とである。つまみ１０の回動角度は図示しないストッパー機構によって所定の範囲に限定され、またつまみ１０の中立位置への自動復帰動作は図示しない別の弾発手段によって行われる。
【００３３】
そしてつまみ１０が図示する所定位置（この実施形態では中立位置）に位置する場合に、キートップ３０の本体部３１をつまみ１０の上面側から押圧すれば、その押圧部３５が当接部１８３を押圧することでスイッチ押圧部材１８０が下降し、スイッチ押圧部材１８０のスイッチ押圧部１８５がその真下に位置する２段スイッチ２１０を押圧してその２段スイッチをオンオフ操作する。ここでキートップ３０を押し込んだ状態のままつまみ１０を回転移動しようとしても、押圧部３５がフレキシブル回路基板１４０と押圧規制板１６０のそれぞれの押圧部挿通部１４５，１６３内に挿入された状態なので、つまみ１０の回転移動はできない。一方キートップ３０の押圧を解除した状態でつまみ１０をその中立位置から回転方向Ｃの一方の方向に指等によって移動すると、摺動型物１１０がつまみ１０とともに移動し、摺動子１３０とスイッチパターンとで構成される電気的機能部の電気的出力が変化する。つまみ１０を中立位置から移動した場合、キートップ３０の押圧部３５はフレキシブル回路基板１４０及び押圧規制板１６０の押圧部挿通部１４５，１６３内から外れた位置に位置するので、キートップ３０を押圧することはできず、２段スイッチ２１０を操作することはできない。
【００３４】
以上のようにこの押圧スイッチ付摺動式電子部品１−２によれば、摺動式電子部品の操作を行うつまみ１０に、押圧スイッチの操作を行うキートップ３０を上下動自在に取り付けたので、つまみ１０の摺動操作（回転操作）と、キートップ３０の押圧操作とを集中して行うことが可能となる。しかもつまみ１０が所定のキートップ押圧位置（この実施形態では中立位置）に位置したときのみにキートップ３０による押圧操作を可能にしたので、スイッチ２１０の誤操作を確実に防止できる。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態においてはつまみ１０が中立位置にあるときにキートップ３０の押圧部３５に対向する位置に押圧部挿通部１４５，１６３が位置してキートップ３０を押圧できるように構成したが、キートップ３０を押圧できる位置としては必ずしもつまみ１０の中立位置でなくても良く、つまみ１０を移動している途中の位置であっても良い。この場合はその途中の位置につまみ１０が位置する際にキートップ３０の押圧部３５に対向する位置に押圧部挿通部１４５，１６３を設置すれば良い。また上記実施形態では摺動子とスイッチパターンとによって電気的機能部を構成したが、本発明は他の種々の構成からなる電気的機能部であっても良く、要は摺動型物の移動によって電気的出力を変化する電気的機能部であればどのような構造のものであっても良い。キートップの形状構造も種々の変形が可能であり、要はつまみに上下動自在に設置され且つつまみとともに移動するキートップであればどのような構成のものであっても良い。
【００３６】
また上記実施形態ではフレキシブル回路基板１４０と押圧規制板１６０とを合わせて押圧規制部材１７０を構成したが、例えばフレキシブル回路基板１４０の代りに硬質の回路基板を用いた場合は押圧規制板１６０は不要であり、その場合は回路基板のみで押圧規制部材を構成することができる。さらに上記実施形態では押圧規制部材１７０とスイッチ押圧部材１８０とによって押圧規制機構１９０を構成したが、スイッチ押圧部材１８０を省略してキートップ３０の押圧部３５が直接スイッチ２１０を押圧する構成としても良い。もちろんスイッチ押圧部材１８０を設置すれば、その当接部１８３の面が容易に押圧規制部材１７０の表面（即ちフレキシブル回路基板１４０の表面）と略同一面となるので、前述のようにキートップ３０の押圧部３５の下面が押圧部挿通部１４５の周囲の部分で引っ掛かることを確実に防止でき、そのスムーズな移動が確実に行えるので好適である。要は押圧規制機構は、キートップの押圧部がつまみの移動によってスイッチを押圧する以外の位置に位置する際にキートップの押圧を阻止する構成であればどのような構成でも良い。また押圧規制部材１７０の形状構造も種々の変形が可能であり、要はスイッチとキートップの押圧部の間に設置され、キートップの押圧部がスイッチを押圧する位置においてこの押圧部を挿通する押圧部挿通部が設けられている構成であればどのような構成であっても良い。またスイッチ押圧部材１８０も種々の変更が可能であり、要は押圧規制部材とスイッチの間に上下動自在に設置され、その上面に押圧規制部材に設けた押圧部挿通部においてキートップの押圧部に当接する当接部を設け且つその下面にスイッチを押圧するスイッチ押圧部を設ける構成であれば、どのような構成であっても良い。
【００３７】
また上記実施形態ではキートップ３０をつまみ１０内において上方向に押し上げる押圧用弾発手段５０を設置したが、押圧用弾発手段５０は必ずしも設置する必要はなく、省略しても良い。この場合、スイッチ押圧部材１８０の当接部１８３の面を押圧規制部材１７０の表面（即ちフレキシブル回路基板１４０の表面）と略同一面としておけば、前述のようにキートップ３０の押圧部３５の下面が押圧部挿通部１４５の周囲の部分で引っ掛かることを確実に防止でき、例え押圧用弾発手段５０を省略してもそのスムーズな移動が確実に行えて好適である。なお押圧部３５は１本とする必要はなく、本体部３１の下面から複数本突出させても良い。
【図面の簡単な説明】
【００３８】
【図１】押圧スイッチ付摺動式電子部品１−１の上側部分を示す分解斜視図である。
【図２】押圧スイッチ付摺動式電子部品１−１の下側部分を示す分解斜視図である。
【図３】押圧スイッチ付摺動式電子部品１−１の要部概略断面図である。
【図４】押圧スイッチ付摺動式電子部品１−１の動作説明図である。
【図５】押圧スイッチ付摺動式電子部品１−２の斜視図である。
【図６】押圧スイッチ付摺動式電子部品１−２の要部概略断面図である。
【符号の説明】
【００３９】
１−１  押圧スイッチ付摺動式電子部品
１０  つまみ
３０  キートップ
３１  本体部
３５  押圧部
５０  押圧用弾発手段
６０  保持部材
８０  ケース（取付部材）
８１  開口部
１００  弾発手段
１１０  摺動型物
１１１  弾発手段収納部
１３０  摺動子（電気的機能部）
１４０  フレキシブル回路基板
１４３  スイッチパターン（導電パターン、電気的機能部）
１４５  押圧部挿通部
１６０  押圧規制板
１６３  押圧部挿通部
１７０  押圧規制部材
１８０  スイッチ押圧部材
１８３  当接部
１８５  スイッチ押圧部
１９０  押圧規制機構
２００  スイッチ体
２０１  ケース
２１０  ２段スイッチ
１−２  押圧スイッチ付摺動式電子部品
【図１】
2006331698.tif 000003
【図２】
2006331698.tif 000004
【図３】
2006331698.tif 000005
【図４】
2006331698.tif 000006
【図５】
2006331698.tif 000007
【図６】
2006331698.tif 000008